(57)【特許請求の範囲】
【請求項１】
浴槽の背凭れ部に隣接する浴室の壁に設けられる浴室用手すりであって、
一端が浴室の壁と接続可能な支持部と、
前記支持部の他端から起立する前板部と、
前記前板部の起立した先端部から前記支持部の前記一端側に向かって突出する把持部と、
を備え、
前記前板部における少なくとも前記把持部と反対側の面のうちの少なくとも一部が軟質面部である、
ことを特徴とする浴室用手すり。
【請求項２】
浴槽の背凭れ部に隣接する壁に浴室用手すりが設けられた浴室であって、
前記浴室用手すりは、
一端が浴室の壁と接続可能な支持部と、
前記支持部の他端から起立する前板部と、
前記前板部の起立した先端部から前記壁側に向かって突出する把持部と、
を備え、
前記前板部における少なくとも前記把持部と反対側の面のうちの少なくとも一部が軟質面部である、
ことを特徴とする浴室。
【発明の詳細な説明】
【技術分野】
【０００１】
本発明は、浴室用手すりおよびこれを備えた浴室に関する。
【背景技術】
【０００２】
特許文献１には、高齢者の入浴に適した浴室として、浴槽の背凭れ部に近接する浴室の側壁に、横杆と縦杆からなる略L字状の手すりが設けられ、この手すりの横杆に枕が着脱自在に係止されている浴室が記載されている。
【先行技術文献】
【特許文献】
【０００３】
【特許文献１】特開平7-150780号公報
【発明の概要】
【発明が解決しようとする課題】
【０００４】
しかしながら、特許文献１の浴室では、枕を取り付けるための構造として、大がかりな略L字状の手すりが設けられていることが必要であり、浴室の形態によっては手すりおよび枕を設置できない場合があるという問題がある。また、特許文献１の浴室では、略L字状の手すりが設けられていることで、浴室の見栄えがよくないという問題もある。
【０００５】
本発明は、以上のとおりの事情に鑑みてなされたものであり、比較的シンプルな構造であり、使用者の動作を補助することができ、入浴の際に使用者の頭部を安定に支持することができる浴室用手すりを提供することを課題としている。また、このような浴室用手すりを備えた浴室を提供することを課題としている。
【課題を解決するための手段】
【０００６】
上記の課題を解決するため、本発明の浴室用手すりは、浴槽の背凭れ部に隣接する浴室の壁に設けられる浴室用手すりであって、
一端が浴室の壁と接続可能な支持部と、
前記支持部の他端から起立する前板部と、
前記前板部の起立した先端部から前記支持部の前記一端側に向かって突出する把持部と、
を備え、
前記前板部における少なくとも前記把持部と反対側の面のうちの少なくとも一部が軟質面部である、ことを特徴としている。
【０００７】
本発明の浴室は、浴槽の背凭れ部に隣接する壁に浴室用手すりが設けられた浴室であって、
前記浴室用手すりは、
一端が浴室の壁と接続可能な支持部と、
前記支持部の他端から起立する前板部と、
前記前板部の起立した先端部から前記支持部の前記壁側に向かって突出する把持部と、
を備え、
前記前板部における少なくとも前記把持部と反対側の面のうちの少なくとも一部が軟質面部である、ことを特徴としている。
【発明の効果】
【０００８】
本発明の浴室用手すりおよびこれを備えた浴室は、比較的シンプルな構造であり、使用者の動作を補助することができ、使用者が入浴する際に使用者の頭部を安定に支持することができる。
【図面の簡単な説明】
【０００９】
【図１】本発明の浴室用手すりが配設された浴室の一実施形態を例示した断面概要図である。
【図２】本発明の浴室用手すりの一実施形態を例示した縦断面図である。
【図３】本発明の浴室用手すりの別の実施形態を例示した縦断面図である。
【発明を実施するための形態】
【００１０】
図１は、本発明の浴室用手すりが配設された浴室の一実施形態を例示した斜視図である。図２は、本発明の浴室用手すりの一実施形態を例示した縦断面図である。
【００１１】
浴室用手すり１は、浴槽２の背凭れ部２１に隣接する浴室Ｒの壁Ｗに設けられている。浴室用手すり１が配設される壁Ｗの高さ位置は、使用者Ｐが浴槽２で入浴する際の頭部の位置を考慮して適宜設計することができる。図１に例示した実施形態では、浴槽２に半身浴用の腰掛部２２が底部より一段高く設けられており、この腰掛部２２に使用者Ｐが腰を下ろし、背凭れ部２１に背中を寄りかけた状態での頭部の位置に対応した高さ位置に浴室用手すり１が配設されている。
【００１２】
浴室用手すり１は、支持部３と、前板部４と、把持部５とを備えている。
【００１３】
支持部３は、壁Ｗ側に水平方向に延び、一端が浴室Ｒの壁Ｗと接続している。具体的には、支持部３は、浴室Ｒの壁Ｗと接続する一端の接続部３１と、この接続部３１から浴槽２側へ向かって水平方向に延びる水平部３２とを有している。
【００１４】
前板部４は、支持部３の水平部３２の浴槽２側の端部３２a（接続部３１と対向して配置された他端）から起立している。
【００１５】
把持部５は、前板部４の上端部（起立した先端部）４cから、支持部３の一端の接続部３１側（壁Ｗ側）に向かって突出している。把持部５の突出長さは、例えば、支持部３の水平部３２の長さの１/２〜１/３程度に設計することができる。
【００１６】
さらに、前板部４には、浴槽２側に配置される面（把持部５と反対側の面）４aに、軟質材料Ｓからなる軟質面部４１が設けられている。また、同様に、支持部３の下面３aにも、前板部４の軟質面部４１の下端から壁Ｗ側へ延びる軟質面部３３が形成されている。
【００１７】
軟質面部３３、４１を形成する軟質材料Ｓは、使用者Ｐの頭部を快適に支持する弾性を有している材料であればよく、特に限定されない。具体的には、軟質材料Ｓは、例えば、ＥＶＡ樹脂（エチレン・酢酸ビニル共重合樹脂）や、発泡ウレタンなどの公知の樹脂材料などを例示することができる。
【００１８】
軟質面部３３、４１の表面には、浴槽２側に配置される面４aから支持部３の下面３aまでの全域に亘って被覆材６が配設されている。被覆材６の材料は、例えば塩化ビニル樹脂シートなどの耐汚性に優れた各種の材料を例示することができる。
【００１９】
浴室用手すり１は、前板部４の浴槽２側に配置される面４aに軟質面部４１を有しているが、それ以外の部分の材料は特に限定されない。例えば、この実施形態の浴室用手すり１では、支持部３、前板部４および把持部５は、その内部にアルミなどの金属製の芯材Ｍが配置されている。また、支持部３の上面３a、前板部４の壁Ｗ側の面４bおよび把持部５の全体は、金属製の芯材Ｍがポリエチレンなどの樹脂Ｆによって被覆されている。
【００２０】
この浴室用手すり１では、前板部４が、支持部３の水平部３２の浴槽２側の端部３２aから起立しており、軟質面部４１が、前板部４において浴槽２側に配置される面（把持部５と反対側の面）４aに設けられている。このため、浴室用手すり１が設けられた浴室Ｒでは、使用者Ｐが浴槽２の背凭れ部２１に寄りかかる場合に、前板部４の軟質面部４１をヘッドレストとして使用者Ｐの頭部を安定に支持することができ、快適に入浴をすることができる。また、この浴室用手すり１では、把持部５が前板部４の上端部４cから支持部３側（壁Ｗ側）に突出しているため、使用者Ｐが浴槽２に入る際や浴槽２から立ち上がる際などに把持部５を掴むことができ、使用者Ｐの動作を補助することができる。さらに、把持部５が前板部４の上端部４cから壁Ｗ側に突出しているため、前板部４の軟質面部４１は平坦であり、使用者Ｐの頭部をより安定に支持することができる。そして、把持部５は、前板部４の上端部４cから突出しているシンプルな構造であるため、浴室用手すり１は浴室Ｒの形態に関わらず設置することができ、また、浴室Ｒの見栄えも良好になる。
【００２１】
図３は、本発明の浴室用手すりの別の実施形態を例示した縦断面図である。図２で示した形態と共通する部分には同一の符号を付し、以下では説明を一部省略する。
【００２２】
この実施形態の浴室用手すり１では、支持部３、前板部４および把持部５の表面の全域で、金属製の芯材Ｍが軟質材料Ｓで覆われて、軟質面部Ｓ１が形成されている。さらに、浴室用手すり１は、軟質面部Ｓ１の表面の全域が被覆材６によって覆われている。
【００２３】
浴室用手すり１は、前板部４が、支持部３の水平部３２の浴槽２側の端部３２aから起立しており、軟質面部Ｓ１が、支持部３、前板部４および把持部５の表面に設けられている。すなわち、軟質面部Ｓ１は、前板部４において浴槽２側に配置される面（把持部５と反対側の面）４aにも設けられている。このため、浴室用手すり１は、使用者Ｐが浴槽２の背凭れ部２１に寄りかかる場合に、使用者Ｐの頭部を前板部４の軟質面部Ｓ１で安定に支持することができ、快適に入浴をすることができる。また、この浴室用手すり１では、把持部５が前板部４の上端部４cから壁Ｗ側に突出しているため、使用者Ｐが浴槽２に入る際や浴槽２から立ち上がる際などに把持部５を掴むことができ、使用者Ｐの動作を補助することができる。さらに、把持部５が前板部４の上端部４cから壁Ｗ側に突出しているため、前板部４の浴槽２側に位置する軟質面部Ｓ１は平坦であり、使用者Ｐの頭部をより安定に支持することができる。そして、把持部５は、前板部４の上端部４cから突出しているシンプルな構造であるため、浴室用手すり１は浴室Ｒの形態に関わらず設置することができ、また、浴室Ｒの見栄えも良好になる。
【００２４】
以上のように、本発明の浴室用手すり１は、浴槽２の背凭れ部２１に隣接する浴室Ｒの壁Ｗに設けられる浴室用手すり１であり、以下の構成を有している。一端が浴室Ｒの壁Ｗと接続可能な支持部３。支持部３の他端から起立する前板部４。前板部４の起立した先端部４cから支持部３の一端側に向かって突出する把持部５。さらに、軟質面部４１、Ｓ１が、少なくとも前板部４において把持部５と反対側の面４aに設けられている。
【００２５】
本発明の浴室Ｒは、浴槽２の背凭れ部２１に隣接する壁Ｗに浴室用手すり１が設けられた浴室Ｒであって、浴室用手すり１は以下の構成を有している。水平方向に延び、一端が浴室の壁と接続可能な支持部３。支持部３において一端に対向して配置された他端から起立する前板部４。前板部４の起立した先端部４cから壁Ｗ側に向かって突出する把持部５。そして、軟質面部４１、Ｓ１が、少なくとも前板部４において把持部５と反対側の面４aに設けられている。
【００２６】
本発明の浴室用手すりは、以上の実施形態に限定されることはない。例えば、浴室用手すりは、少なくとも前板部の浴槽側に配置される面（把持部と反対側の面）に軟質面部が形成されていればよい。また、浴室用手すりは、浴槽付近にのみ設けられていてもよいし、浴槽付近から洗い場付近まで延びる長尺な部材として形成されていてもよい。また、例えば、浴室用手すりが浴槽付近から洗い場付近まで延びている場合には、浴槽付近に位置する前板部における把持部と反対側の面に軟質面部が設けられていればよい。すなわち、この場合では、例えば、洗い場付近に位置する前板部における把持部と反対側の面には、軟質面部を設けてもよいし、設けなくてもよい。
【符号の説明】
【００２７】
１    浴室用手すり
２    浴槽
２１  背凭れ部
３    支持部
４    前板部
４１  軟質面部
４c  上端部
５    把持部
Ｒ    浴室
Ｗ    壁
【図１】
0006524576.tif 000002
【図２】
0006524576.tif 000003
【図３】
0006524576.tif 000004